(57)【要約】【課題】踏板や蹴込板との間に隙間が生じ難く、しかも構造が単純で施工現場での加工が容易で製造コストも低廉な階段幅木及び階段幅木の製造方法を提供する。【解決手段】第一部材２１は、第一パッキン２３が下端に取付けられた第一本体部２１ａと、第一本体部２１ａの前端の略中央から前側上方に傾斜して三角形状に突出した第一突出部２１ｂからなり、第二部材２２は、第二パッキン２４が後端に取付けられた第二本体部２２ａと、第二本体部２２ａの上端の前端から略中央まで上方へ矩形状に突出するとともにさらにその矩形状突出部分の後端の上端から前側上方に傾斜して三角形状に突出した第二突出部２２ｂからなるとともに、第二突出部２２ｂの矩形状部分の高さは、第一本体部２１ａの下端から第一突出部２１ｂの下端までの高さに段鼻Ｄの厚さを加えた高さで、さらに第一突出部２１ｂの傾斜部分と第二突出部２２ｂの傾斜部分とが留め継ぎされる。【選択図】図１
2015055043.tif 000002
【特許請求の範囲】
【請求項１】
建物の内壁に接するとともに段鼻が蹴込板よりも前方に突出するように配置された踏板の前記内壁側の上端に沿って水平に延びる第一部材と、前記蹴込板の前記内壁側の前方で鉛直に延びる第二部材を備える階段幅木において、
前記第一部材は、
前記踏板に接する第一パッキンが下端に取付けられた横長矩形状の第一本体部と、
前記第一本体部の前端の略中央から前側上方に傾斜して三角形状に突出した第一突出部からなり、
前記第二部材は、
前記蹴込板に接する第二パッキンが後端に取付けられた縦長矩形状の第二本体部と、
前記第二本体部の上端の前端から略中央まで上方へ矩形状に突出するとともにさらにその矩形状突出部分の後端の上端から前側上方に傾斜して三角形状に突出した第二突出部からなるとともに、
前記第二突出部の矩形状部分の高さは、前記第一本体部の下端から前記第一突出部の下端までの高さに前記段鼻の厚さを加えた高さ以上、かつ前記第一本体部の下端から前記第一突出部の下端までの高さに前記段鼻の厚さと前記第一パッキンの幅を加えた高さ未満で、
さらに前記第一突出部の傾斜部分と前記第二突出部の傾斜部分とが留め継ぎされて前記第一部材と前記第二部材とのなす角度が略９０°となることを特徴とする階段幅木。
【請求項２】
請求項１に記載の階段幅木の製造方法であって、
左右に延びる一つの長板材の下端に下辺を一致させた矩形状切欠部と、前記矩形状切欠部の上辺の右端に底辺の右端を一致させるとともに前記底辺の左端を前記矩形状切欠部の上辺上に配置させさらに頂角を上方に向けてその頂角における点を前記長板材の上端に略一致させた直角二等辺三角形状の三角形状切欠部と、からなる切欠部を前記長板材に形成し、
前記切欠部よりも右側の前記長板材を前記第一部材としてその下端に前記第一パッキンを取付けるとともに、前記切欠部よりも左側の前記長板材を前記第二部材としてその下端に前記第二パッキンを取付け、
しかも前記矩形状切欠部の上辺の左端から前記三角形状切欠部の底辺の左端までの長さは、前記矩形状切欠部の高さに前記段鼻の厚さを加えた長さ以上、かつ前記矩形状切欠部の高さに前記段鼻の厚さと前記第一パッキンの幅を加えた長さ未満で、
さらに前記三角形状切欠部の頂角における点で前記長板材を分断せずに、前記第一部材と前記第二部材とが繋がったままの状態で、前記第二部材を前記第一部材に対して略９０°回転させることを特徴とする階段幅木の製造方法。
【請求項３】
建物の内壁に接するとともに段鼻が蹴込板よりも前方に突出するように配置された踏板の前記内壁側の上端に沿って水平に延びる第一部材と、前記蹴込板の前記内壁側の前方で鉛直に延びる第二部材を備える階段幅木において、
前記第一部材は、
前記踏板に接する第一パッキンが下端に取付けられた横長矩形状の第一本体部と、
前記第一本体部の前端の下端から前側上方に傾斜して三角形状に突出した第一突出部からなり、
前記第二部材は、
第二パッキンが後端に取付けられた縦長矩形状の第二本体部と、
前記第二本体部の後端の上端から前側上方に傾斜して三角形状に突出した第二突出部からなるとともに、
前記第一突出部の傾斜部分と前記第二突出部の傾斜部分とが留め継ぎされて前記第一部材と前記第二部材とのなす角度が略９０°となり、
しかも前記蹴込板の前端に接して設けられ前記第二部材の第二パッキンと前記蹴込板との隙間を塞ぐ縦長矩形状の第三部材をさらに備えることを特徴とする階段幅木。
【請求項４】
前記第二パッキンは前記第二本体部の後端から前記内壁側へ湾曲突出した断面略舌状であり、
前記第二パッキンを前記第三部材の前部に被せ、前記第二パッキンの裏面を前記第三部材に弾接させることを特徴とする請求項３に記載の階段幅木。
【請求項５】
前記第二パッキンは前記第二本体部の後端から前記内壁側へ湾曲突出した断面略舌状であり、
前記第二パッキンの表面を前記第三部材の前端に弾接させることを特徴とする請求項３に記載の階段幅木。
【請求項６】
請求項３乃至５に記載の階段幅木の製造方法であって、
左右に延びる一つの長板材の下端に底辺を一致させるとともに頂角を上方に向けてその頂角における点を前記長板材の上端に略一致させた直角二等辺三角形状の三角形状切欠部を前記長板材に形成し、
前記三角形状切欠部よりも右側の前記長板材を前記第一部材としてその下端に前記第一パッキンを取付けるとともに、前記三角形状切欠部よりも左側の前記長板材を前記第二部材としてその下端に前記第二パッキンを取付け、
前記三角形状切欠部の頂角における点で前記長板材を分断せずに、前記第一部材と前記第二部材とが繋がったままの状態で、前記第二部材を前記第一部材に対して略９０°回転させることを特徴とする階段幅木の製造方法。
【発明の詳細な説明】
【技術分野】
【０００１】
本発明は、踏板の上端に沿って水平に延びる第一部材と、蹴込板の前方で鉛直に延びる第二部材を備える階段幅木及び階段幅木の製造方法に関するものである。
【背景技術】
【０００２】
箱形階段と称される従来の階段では、側板表面に踏板及び蹴込板の端部が入る溝を加工した上で、踏板及び蹴込板を取り付けて完成される。通常この方法では、踏板、蹴込板、側板が同一樹種・色で統一されて施工されるので、高精度で施工した場合は、美観上優れる。
しかし、施工には高度の技術が要求され、特に側板への踏板及び蹴込板の取付け部分加工の際に、化粧面に直接ノミ等の工具で加工を行う必要があるので、化粧面を傷つけないように神経を使う上、踏板との間に隙間が生じやすい欠点がある。
【０００３】
そこで近年では、特に低コスト住宅を中心に、より簡易な方法が提案され、一般化されている。これは一般に雛壇階段と称される階段において、箱形階段の側板に相当するささら桁上面を鋸歯状に加工を行ない、この上に踏板及び蹴込板を置くように施工する階段である(例えば、引用文献１参照)。
この方法だと、ささら桁には、踏板や蹴込板の入る複雑な溝を加工する必要は無く、踏板や蹴込板が載せられるだけの単純な鋸歯状加工を行うだけで済む。しかも、ささら桁に関しては、施工完了後、完全に階段裏側に隠れてしまうので、化粧材も不要で、箱型階段における側板のように、化粧面を傷つけないように神経を使う必要も無い。
【０００４】
この雛壇階段では、ささら桁上に踏板を直接置いて施工するので、踏板両端は壁材にそのまま接した状態となっている。このままでは踏板端部と壁材との間の隙間（５〜１０ｍｍ程度）が目立つので、通常は階段幅木と称される部材で、この隙間を隠蔽する方法が行われる。
【０００５】
この階段幅木については、踏板・蹴込板が約９０度の角度で１３段程度連続するので、部屋に使用される幅木とは異なり、踏板及び蹴込板に合わせて、留め加工を用いてＬ字状の基本ユニットを組み合わせて施工する場合が多かった（例えば、引用文献２参照）。
留め加工の実施に際しては、図１３（ａ）に示すように長板材Ｎに単純に逆Ｖ型の切欠部１を形成し、「く」の字型に折り曲げる方法が最も単純である。この構造は、図１３（ｂ）に示すように蹴込板Ｋから段鼻Ｄの出が無い場合には好都合である。
【０００６】
一方、段鼻Ｄの出がある場合には、図１４（ａ）に示すように長板材Ｎに逆Ｖ型の切欠部１に加えて、段鼻Ｄ部分が入る矩形状の切欠部２を形成し、図１４（ｂ）のように「く」の字型に折り曲げる方法もよく使用される（例えば、引用文献３乃至７参照）。
【０００７】
また、プラスチック等で段鼻Ｄ部分を完全に覆うようなＪ字状部材１１を一体成型する場合もある。この場合、蹴込板Ｋ表面には別途Ｉ字状部材１２を組み合わせる事で階段幅木１００となる（例えば、引用文献８，９参照）。
さらには、図１６に示すように階段幅木１００を縦部材１３と横部材１４の分離型としてそれぞれ製作し組み合わせる方法もある（例えば、引用文献１０乃至１２参照）。
【０００８】
また、図１３の階段幅木１００の変形として、段鼻Ｄの出がある場合にフィラー１５を用いる方法もある。これは、長板材Ｎに逆Ｖ型の切欠部１を入れ、「く」の字型に折り曲げる点に関しては図１３の階段幅木１００と同様だが、このままでは階段幅木１００と蹴込板Ｋとの間に大きな隙間が発生してしまうので、フィラー１５を用いてこの隙間を埋める方法である（例えば、引用文献１３，１４参照）。
【先行技術文献】
【特許文献】
【０００９】
【特許文献１】特開平０９−２２８５９８号公報
【特許文献２】実開平０５−０３４２３２号公報
【特許文献３】実開平０３−００４８４０号公報
【特許文献４】実開平０７−０１６８２２号公報
【特許文献５】実開平０６−０６２０６２号公報
【特許文献６】実開平０８−０２１０５４号公報
【特許文献７】特開平１１−１８１９８１号公報
【特許文献８】登録実用新案第２５６７１２２号公報
【特許文献９】特開２０１１−２３１４８４号公報
【特許文献１０】実開平０３−０３３１２５号公報
【特許文献１１】意匠登録第１０５３０７２号公報
【特許文献１２】意匠登録第１０５３０７５号公報
【特許文献１３】特許第３１３８８５３号公報
【特許文献１４】特許第５０８６６９４号公報
【特許文献１５】実開昭６３−０３７７４４号公報
【発明の概要】
【発明が解決しようとする課題】
【００１０】
しかしながら、従来の雛壇階段における階段幅木１００の施工に関しては、以下の問題があつた。
（１）隙間が生じやすい
階段幅木１００の設置によって、踏板Ｆ両端部と壁材との間に生じる隙間は十分に隠蔽されるものの、今度は階段幅木１００と踏板Ｆ及び蹴込板Ｋとの間に生じる隙間が問題となる。この部分に生じる隙間は、踏板Ｆ両端部と壁材との間に生じる隙間に比較すれば小さいものの、階段は昇る際に目線の高さに数段上の踏板Ｆが見えるので、小さくても目立つ傾向にある。
また、階段幅木１００の現場施工に際して、定規付き電動丸鋸を使用する留め加工は、定規を４５度に傾斜して行うので、僅かな狂いが生じるだけで隙間発生の原因となる。又、階段の長さは１３段の場合、６ｍ近くあるので、たとえＬＶＬや合板のような異方性の少ない材料を用いても、湿度変化や昇降時の体重によるたわみによって歪が発生し、踏板Ｆや蹴込板Ｋと階段幅木１００間の隙間発生の原因となる。
【００１１】
ここで、隙間を塞ぐには、壁材と床材との間に設ける普通の幅木で用いられるようなパッキン１６（例えば、特許文献１５参照）を用いると好都合である。このパッキン１６を階段幅木１００の踏板Ｆや蹴込板Ｋに接する面に用いる訳である。
パッキン１６は薄いゴム等で製作され、断面がＩ字型、Ｌ字型、♂型等様々な形状があるが、これらを階段幅木１００の踏板Ｆや蹴込板Ｋと接する面に介在させれば隙間を十分に隠蔽する事ができる
【００１２】
しかし、従来の方法では、いずれの方法を用いても踏板Ｆ表面及び蹴込板Ｋ表面の全てをカバーすることはできない。例えば、図１４の方法では、段鼻Ｄ上面や、踏板Ｆ表面の内、段鼻Ｄの出部分には、構造的にパッキン１６の装着は不可能となっている。
図１３の方法だけは、踏板Ｆ表面、蹴込板Ｋ表面、段鼻Ｄの全てをパッキン１６でカバーできるものの、これは段鼻Ｄの出が無い特殊な階段専用となっていて、適用範囲が極端に狭い。なお、通常の階段は段鼻Ｄの出が１０〜２０ｍｍ程度設けられる。
【００１３】
（２）施工現場での加工が面倒
プレハブ住宅等、同一寸法の住宅を多数建築する場合、部材の種類も限られているので、プラモデルのように完全規格化も容易である。しかし、一般的な木造注文住宅の階段については、段差が階高によって定まるので、１棟ごとに異なる為に、完全規格化は無理である。
又、階段の段数は１３段の場合が多いが、１３枚の踏板Ｆと１３枚の蹴込板Ｋが交互に設けられているので、留め加工を行う屈曲部分は、最低片側の１３か所、多い場合は両側の２６か所もある。
留め加工を行う場合、施工現場においては高精度の自動加工装置の使用は無理で、精々、定規付き電動丸鋸程度しか使用できないので極めて手間がかかる。
特に図１４の方法だと、切り欠きが２か所もあるので加工の手間がかかる。
【００１４】
（３）部材の種類が多い、或いは構造が複雑で製造コストが大
図１５のようにユニット化した場合、各階段専用の形状を製造しなければならないので、金属製やプラスチック製の場合には、専用の型が必要である。
従って、適用範囲は集合住宅やプレハブ住宅等、同一サイズの階段幅木１００が大量に使用される場合に限定されてしまう。木製の場合は大型の材を削り出しによって成形するか、或いは、複数の部材を接着一体化する工程が新たに必要となる。
図１７の構造は、フィラー１５を使用するが幅木本体の形状に関して、図１８に示すように縦部材１３にフィラー１５の入る空所を設ける必要があるので、加工形状が複雑化し、空所を覆う部分は縦部材１３の板厚を薄くせざるを得ず、施工した状態での安定性が悪く強度面で問題がある。
【００１５】
（４）デザイン上の問題がある
図１６の構造を、木材を用いて製造する場合、縦部材１３上部には木口面が露出してしまう。通常、建具では木口面の露出は嫌われる場合が多いので問題である。
金属製やプラスチック製の場合、木口面露出の問題は無いものの、素材の持つ質感が木材と異なるので、階段幅木１００だけが異種材料であると違和感がある。
ここで、プラスチック製だと近年では印刷技術の向上により、自然な木目を出す事も可能となっている。しかし、経年変化によって木材部分は次第に濃色に変色する傾向にあるが、プラスチック製の場合は、逆に白化してしまう場合が多いので、違和感が生じる場合が多い。よって、階段幅木１００の材質は、経年変化を考えれば、基本的に変色の傾向が同じ材料、すなわち木材である事が好ましい。
【００１６】
そこで、本発明の目的とするところは、踏板や蹴込板との間に隙間が生じ難く、しかも構造が単純で施工現場での加工が容易で製造コストも低廉な階段幅木及び階段幅木の製造方法を提供することにある。また、木口面の露出が無く、デザイン上の問題もない階段幅木及び階段幅木の製造方法を提供することにある。
【課題を解決するための手段】
【００１７】
上記の目的を達成するために、本発明の請求項１に記載の階段幅木（２００）は、建物の内壁に接するとともに段鼻（Ｄ）が蹴込板（Ｋ）よりも前方に突出するように配置された踏板（Ｆ）の前記内壁側の上端に沿って水平に延びる第一部材（２１）と、前記蹴込板（Ｋ）の前記内壁側の前方で鉛直に延びる第二部材（２２）を備える階段幅木（２００）において、前記第一部材（２１）は、前記踏板（Ｆ）に接する第一パッキン（２３）が下端に取付けられた横長矩形状の第一本体部（２１ａ）と、前記第一本体部（２１ａ）の前端の略中央から前側上方に傾斜して三角形状に突出した第一突出部（２１ｂ）からなり、前記第二部材（２２）は、前記蹴込板（Ｋ）に接する第二パッキン（２４）が後端に取付けられた縦長矩形状の第二本体部（２２ａ）と、前記第二本体部（２２ａ）の上端の前端から略中央まで上方へ矩形状に突出するとともにさらにその矩形状突出部分の後端の上端から前側上方に傾斜して三角形状に突出した第二突出部（２２ｂ）からなるとともに、前記第二突出部（２２ｂ）の矩形状部分の高さは、前記第一本体部（２１ａ）の下端から前記第一突出部（２１ｂ）の下端までの高さに前記段鼻（Ｄ）の厚さを加えた高さ以上、かつ前記第一本体部（２１ａ）の下端から前記第一突出部（２１ｂ）の下端までの高さに前記段鼻（Ｄ）の厚さと前記第一パッキン（２３）の幅を加えた高さ未満で、さらに前記第一突出部（２１ｂ）の傾斜部分と前記第二突出部（２２ｂ）の傾斜部分とが留め継ぎされて前記第一部材（２１）と前記第二部材（２２）とのなす角度が略９０°となることを特徴とする。
【００１８】
また、請求項２に記載の階段幅木（２００）の製造方法は、請求項１に記載の階段幅木（２００）の製造方法であって、左右に延びる一つの長板材（Ｎ）の下端に下辺を一致させた矩形状切欠部（３１）と、前記矩形状切欠部（３１）の上辺の右端に底辺の右端を一致させるとともに前記底辺の左端を前記矩形状切欠部（３１）の上辺上に配置させさらに頂角を上方に向けてその頂角における点を前記長板材（Ｎ）の上端に略一致させた直角二等辺三角形状の三角形状切欠部（３２）と、からなる切欠部（３０）を前記長板材（Ｎ）に形成し、前記切欠部（３０）よりも右側の前記長板材（Ｎ）を前記第一部材（２１）としてその下端に前記第一パッキン（２３）を取付けるとともに、前記切欠部（３０）よりも左側の前記長板材（Ｎ）を前記第二部材（２２）としてその下端に前記第二パッキン（２４）を取付け、しかも前記矩形状切欠部（３１）の上辺の左端から前記三角形状切欠部（３２）の底辺の左端までの長さは、前記矩形状切欠部（３１）の高さに前記段鼻（Ｄ）の厚さを加えた長さ以上、かつ前記矩形状切欠部（３１）の高さに前記段鼻（Ｄ）の厚さと前記第一パッキン（２３）の幅を加えた長さ未満で、さらに前記三角形状切欠部（３２）の頂角における点で前記長板材（Ｎ）を分断せずに、前記第一部材（２１）と前記第二部材（２２）とが繋がったままの状態で、前記第二部材（２２）を前記第一部材（２１）に対して略９０°回転させることを特徴とする。
【００１９】
また、請求項３に記載の階段幅木（２００）は、建物の内壁に接するとともに段鼻（Ｄ）が蹴込板（Ｋ）よりも前方に突出するように配置された踏板（Ｆ）の前記内壁側の上端に沿って水平に延びる第一部材（２１）と、前記蹴込板（Ｋ）の前記内壁側の前方で鉛直に延びる第二部材（２２）を備える階段幅木（２００）において、前記第一部材（２１）は、前記踏板（Ｆ）に接する第一パッキン（２３）が下端に取付けられた横長矩形状の第一本体部（２１ａ）と、前記第一本体部（２１ａ）の前端の下端から前側上方に傾斜して三角形状に突出した第一突出部（２１ｂ）からなり、前記第二部材（２２）は、第二パッキン（２４）が後端に取付けられた縦長矩形状の第二本体部（２２ａ）と、前記第二本体部（２２ａ）の後端の上端から前側上方に傾斜して三角形状に突出した第二突出部（２２ｂ）からなるとともに、前記第一突出部（２１ｂ）の傾斜部分と前記第二突出部（２２ｂ）の傾斜部分とが留め継ぎされて前記第一部材（２１）と前記第二部材（２２）とのなす角度が略９０°となり、しかも前記蹴込板（Ｋ）の前端に接して設けられ前記第二部材（２２）の第二パッキン（２４）と前記蹴込板（Ｋ）との隙間を塞ぐ縦長矩形状の第三部材（２５）をさらに備えることを特徴とする。
【００２０】
また、請求項４に記載の階段幅木（２００）は、前記第二パッキン（２４）は前記第二本体部（２２ａ）の後端から前記内壁側へ湾曲突出した断面略舌状であり、前記第二パッキン（２４）を前記第三部材（２５）の前部に被せ、前記第二パッキン（２４）の裏面を前記第三部材（２５）に弾接させることを特徴とする。
【００２１】
また、請求項５に記載の階段幅木（２００）は、前記第二パッキン（２４）は前記第二本体部（２２ａ）の後端から前記内壁側へ湾曲突出した断面略舌状であり、前記第二パッキン（２４）の表面を前記第三部材（２５）の前端に弾接させることを特徴とする。
【００２２】
また、請求項６に記載の階段幅木（２００）の製造方法は、請求項３乃至５に記載の階段幅木（２００）の製造方法であって、左右に延びる一つの長板材（Ｎ）の下端に底辺を一致させるとともに頂角を上方に向けてその頂角における点を前記長板材（Ｎ）の上端に略一致させた直角二等辺三角形状の三角形状切欠部（３２）を前記長板材（Ｎ）に形成し、前記三角形状切欠部（３２）よりも右側の前記長板材（Ｎ）を前記第一部材（２１）としてその下端に前記第一パッキン（２３）を取付けるとともに、前記三角形状切欠部（３２）よりも左側の前記長板材（Ｎ）を前記第二部材（２２）としてその下端に前記第二パッキン（２４）を取付け、前記三角形状切欠部（３２）の頂角における点で前記長板材（Ｎ）を分断せずに、前記第一部材（２１）と前記第二部材（２２）とが繋がったままの状態で、前記第二部材（２２）を前記第一部材（２１）に対して略９０°回転させることを特徴とする。
【００２３】
ここで、上記括弧内の記号は、図面および後述する発明を実施するための形態に掲載された対応要素または対応事項を示す。
【発明の効果】
【００２４】
本発明の請求項１に記載の階段幅木によれば、第一部材は、踏板に接する第一パッキンが下端に取付けられた横長矩形状の第一本体部を備え、第二部材は、蹴込板に接する第二パッキンが後端に取付けられた縦長矩形状の第二本体部と、を備えるので、階段幅木と階段（踏板、蹴込板）との間に隙間が生じる恐れはほとんど無い。
また、第一部材と第二部材はともに形状が単純であるので、施工現場での加工も容易で製造コストも低廉である。
また、第一部材と第二部材は、踏板や蹴込板と同質の木材で製造可能であるので、褪色・変色の違いもほとんど無く、階段幅木だけが著しく目立つ恐れもない。さらに、第一部材と第二部材を留め継ぎしたので、木口面の露出もない。よって、デザイン上の問題は無い。
【００２５】
また、請求項２に記載の階段幅木の製造方法によれば、長板材における第一部材の下端に第一パッキンを取付けるとともに、長板材における第二部材の下端に第二パッキンを取付け、前記第二部材を前記第一部材に対して略９０°回転させたので、階段幅木と階段（踏板、蹴込板）との間に隙間が生じる恐れはほとんど無い。
また、一つの長板材に矩形状切欠部と三角形状切欠部からなる切欠部を形成するだけであるので、施工現場での加工も容易で製造コストも低廉である。
また、一つの長板材から第一部材と第二部材を切り出したので、両部材は同一の材質であり、褪色・変色の違いもほとんど無く、階段幅木だけが著しく目立つ恐れもない。さらに、第一部材と第二部材を留め継ぎしたので、木口面の露出もない。よって、デザイン上の問題は無い。
加えて、三角形状切欠部の頂角における点で長板材を分断せずに、第一部材と第二部材とが繋がったままの状態で、第二部材を第一部材に対して略９０°回転させたので、施工時に一対の第一部材と第二部材のうちどちらかが無いという状況が発生せず、施工の効率化を図ることができる。
【００２６】
また、請求項３に記載の階段幅木によれば、第一部材は、踏板に接する第一パッキンが下端に取付けられた横長矩形状の第一本体部を備え、第二部材は、蹴込板に接する第二パッキンが後端に取付けられた縦長矩形状の第二本体部と、を備えるので、階段幅木と階段（踏板、蹴込板）との間に隙間が生じる恐れはほとんど無い。すなわち、踏板、蹴込板に加えて段鼻正面に対しても、階段幅木と、これらとの間にパッキンが介在するので、隙間が生じる恐れは殆ど無い。
また、請求項１に記載の階段幅木より部材数が増えるものの、第一部材と第二部材はともに形状が単純であるので、施工現場での加工も容易で製造コストも低廉である。
また、第一部材と第二部材は、踏板や蹴込板と同質の木材で製造可能であるので、褪色・変色の違いもほとんど無く、階段幅木だけが著しく目立つ恐れもない。さらに、第一部材と第二部材を留め継ぎしたので、木口面の露出もない。よって、デザイン上の問題は無い。
また、段鼻の前端にも第二パッキンが存在するので、段鼻の突出量の誤差や階段幅木の加工誤差をこの第二パッキンで吸収することができる。
【００２７】
また、請求項４に記載の階段幅木によれば、請求項３に記載の発明の作用効果に加え、第二パッキンを第三部材の前部に被せ、第二パッキンの裏面を第三部材に弾接させるので、第二パッキンによる寸法調整（寸法誤差吸収）の幅が大きく、蹴込板との隙間が生じることはほとんど無い。
【００２８】
また、請求項５に記載の階段幅木によれば、請求項３に記載の発明の作用効果に加え、第二パッキンの表面を第三部材の前端に弾接させるので、請求項４に記載の発明に比べて、外観上の第二パッキンの幅が狭くて目立ち難く、デザインの面において優れる。
【００２９】
また、請求項６に記載の階段幅木の製造方法によれば、長板材における第一部材の下端に第一パッキンを取付けるとともに、長板材における第二部材の下端に第二パッキンを取付け、前記第二部材を前記第一部材に対して略９０°回転させたので、階段幅木と階段（踏板、蹴込板）との間に隙間が生じる恐れはほとんど無い。
また、一つの長板材に三角形状切欠部を形成するだけであるので、施工現場での加工も容易で製造コストも低廉である。
また、一つの長板材から第一部材と第二部材を切り出したので、両部材は同一の材質であり、褪色・変色の違いもほとんど無く、階段幅木だけが著しく目立つ恐れもない。さらに、第一部材と第二部材を留め継ぎしたので、木口面の露出もない。よって、デザイン上の問題は無い。
加えて、三角形状切欠部の頂角における点で長板材を分断せずに、第一部材と第二部材とが繋がったままの状態で、第二部材を第一部材に対して略９０°回転させたので、施工時に一対の第一部材と第二部材のうちどちらかが無いという状況が発生せず、施工の効率化を図ることができる。
【００３０】
なお、本発明の階段幅木及び階段幅木の製造方法のように、段鼻が突出している階段において踏板の上面全面及び蹴込板の前面全面にパッキンが接し、第一部材と第二部材とが留め継ぎされた点は、上述した特許文献１乃至１５には全く記載されていない。
【図面の簡単な説明】
【００３１】
【図１】本発明の第一実施形態に係る階段幅木を示す正面図である。
【図２】図１に示す階段幅木の製造方法を示す正面図である。
【図３】図２（ｂ）に示すＡ−Ａ線拡大断面図であり、（ａ）は第二パッキンが開いた状態を、（ｂ）は第二パッキンが閉じた状態をそれぞれ示す。
【図４】本発明の他の実施形態に係る階段幅木を示す正面図である。
【図５】図４に示す階段幅木を階段に取付けた状態を示す正面図である。
【図６】本発明の第二実施形態に係る階段幅木を示す正面図である。
【図７】図６に示す階段幅木の製造方法を示す正面図である。
【図８】図６に示す階段幅木における第二部材を示す拡大斜視図である。
【図９】図６に示す階段幅木における第二部材と第三部材を示す底面図である。
【図１０】本発明の他の実施形態に係る階段幅木における第二部材と第三部材を示す底面図である。
【図１１】（ａ）は、本発明のさらに他の実施形態に係る階段幅木の製造方法を示す正面図であり、（ｂ）はその階段幅木を階段に取付けた状態を示す正面図である。
【図１２】（ａ）は、本発明の他の実施形態に係る階段幅木の製造方法を示す拡大正面図であり、（ｂ）はその階段幅木を階段に取付けた状態を示す正面図である。
【図１３】従来例に係る階段幅木を示す正面図であり、（ａ）は折り曲げ前の状態を、（ｂ）は折り曲げて階段に取付けた状態をそれぞれ示す。
【図１４】従来例に係る階段幅木を示す正面図であり、（ａ）は折り曲げ前の状態を、（ｂ）は折り曲げて階段に取付けた状態をそれぞれ示す。
【図１５】従来例に係る階段幅木を示す正面図であり、（ａ）はプラスチックのＪ字状部材を、（ｂ）は階段に取付けた状態をそれぞれ示す。
【図１６】従来例に係る階段幅木を示す正面図であり、（ａ）は分離状態を、（ｂ）は階段に取付けた状態をそれぞれ示す。
【図１７】従来例に係る階段幅木を示す正面図であり、（ａ）は折り曲げ前の状態を、（ｂ）は折り曲げて階段に取付けた状態をそれぞれ示す。
【図１８】図１７に示す階段幅木における縦部材とフィラーを示す底面図である。
【発明を実施するための形態】
【００３２】
（第一実施形態）
図１及び図２を参照して、本発明の第一実施形態に係る階段幅木２００及び階段幅木２００の製造方法を説明する。
この階段幅木２００は、第一部材２１と、第二部材２２とを備える。
また、この階段幅木２００の取付けの対象となる階段は、鉛直に延びる蹴込板Ｋと水平に延びる踏板Ｆからなり、その踏板Ｆの前端部分である段鼻Ｄが蹴込板Ｋよりも前方に突出する。また、蹴込板Ｋや踏板Ｆの少なくともいずれか一端（図１においては紙面奥側）は建物の内壁（壁材）に接する。
なお、図１等における紙面左側を階段幅木２００の前方とし、紙面右側を後方とする。
また、従来例で示したものと同一部分には同一符号を付した。
【００３３】
第一部材２１は、階段に取付けられた状態において、建物の内壁に接するとともに踏板Ｆの内壁側の上端に沿って水平に延び、第一本体部２１ａと第一突出部２１ｂからなる。
第一本体部２１ａは、横長矩形状で、踏板Ｆに接する第一パッキン２３が下端に取付けられている。
そして第一突出部２１ｂが、第一本体部２１ａの前端の略中央から前側上方に傾斜して三角形状に突出する。
【００３４】
第一パッキン２３は踏板Ｆの内壁側端部の上面に接し、第一パッキン２３の前後方向の長さは第一本体部２１ａの前後方向長さに等しく、段鼻Ｄを含めた踏板Ｆの前後方向の長さから他の第二部材２２の前後方向の長さを減じた長さとも等しい。
また、第一本体部２１ａの前端は、段鼻Ｄの前端（蹴込板Ｋの前端）と面一であり、第一本体部２１ａの上端と第一突出部２１ｂの上端は面一となっている。
また、第一突出部２１ｂの傾斜部分と第一部材２１の上端とのなす角度は４５°である。
そして、第一突出部２１ｂの傾斜部分と第二突出部２２ｂの後述する傾斜部分とが留め継ぎされて第一部材２１と第二部材２２とのなす角度が略９０°となっている。
【００３５】
第二部材２２は、建物の内壁に接するとともに蹴込板Ｋの内壁側の前方で鉛直に延び、第二本体部２２ａと第二突出部２２ｂからなる。
第二本体部２２ａは、縦長矩形状で、蹴込板Ｋに接する第二パッキン２４が後端に取付けられている。
そして、第二突出部２２ｂが第二本体部２２ａの上端の前端から略中央まで上方へ矩形状に突出するとともに、さらにその矩形状突出部分の後端の上端から前側上方に傾斜して三角形状に突出している。
【００３６】
第二パッキン２４は蹴込板Ｋの内壁側端部の前面全面に接し、第二パッキン２４の上下方向の長さは第二本体部２２ａの上下方向の長さに等しく、蹴込板Ｋの上下方向の長さから他の踏板Ｆの厚さを減じた長さとも等しい。
また、第二本体部２２ａの上端は、蹴込板Ｋの上端と面一であり、段鼻Ｄ（踏板Ｆ）の下端に接している。
また、第二本体部２２ａの前端、第二突出部２２ｂの矩形状部分の前端、及び第二突出部２２ｂの三角形状部分の前端は面一になっている。
また、第二突出部２２ｂの傾斜部分と第二部材２２の前端とのなす角度は４５°である。
【００３７】
さらに、第二突出部２２ｂの矩形状部分の高さは、第一本体部２１ａの下端から第一突出部２１ｂの下端までの高さに段鼻Ｄの厚さを加えた高さ以上、かつ第一本体部２１ａの下端から第一突出部２１ｂの下端までの高さに段鼻Ｄの厚さと第一パッキン２３の幅を加えた高さ未満である。
すなわち、第一パッキン２３の伸び縮みの分だけ、第二突出部２２ｂの矩形状部分の高さの許容値に余裕がある。
また、第二突出部２２ｂの矩形状突出部分の後端から第二本体部２２ａの後端に第二パッキン２４の幅（厚さ）を加えた長さは、段鼻Ｄの蹴込板Ｋからの突出量に等しく、第二突出部２２ｂの矩形状突出部分の後端に段鼻Ｄの前端が当接する。これも、第一パッキン２３の伸び縮み分と同様に、第二パッキン２４の伸び縮み分だけ許容値に幅があるという意味である。
そして、第二突出部２２ｂの傾斜部分の斜め方向の長さは、第一突出部２１ｂの傾斜部分の斜め方向の長さとは等しい。
【００３８】
このように構成された階段幅木２００の製造方法は以下の通りである。
まず、図２（ａ）に示すような、左右に延びる一つの長板材Ｎを用意する。
長板材Ｎの下端には、パッキンを取り付ける為に、予めパッキンの脚部が挿入される溝等の嵌合手段(図示せず)を設けるが、パッキンを両面テープ等で直接固定する場合は、溝が無くても良い。
【００３９】
次に、図２（ｂ）に示すような、矩形状切欠部３１と直角二等辺三角形状の三角形状切欠部３２からなる切欠部を前記長板材Ｎに形成する。
詳細には、長板材Ｎの下端に矩形状切欠部３１の下辺を一致させる。
そして、矩形状切欠部３１の上辺の右端に底辺の右端を一致させるとともに底辺の左端を矩形状切欠部３１の上辺上に配置させ、さらに三角形状切欠部３２の直角の頂角を上方に向けてその頂角における点を長板材Ｎの上端に略一致させる。
【００４０】
これは、矩形状切欠部３１を形成して、その後に三角形状切欠部３２を形成するということに限られず、例えば糸鋸等で切欠部の外形を一筆書きのように一度に形成することも含む。
また、第一部材２１や第二部材２２に対して厚さ方向の加工は無い。すなわち、第一部材２１と第二部材２２はいずれの箇所も均一の厚さであり、両者は同じ厚さである。
【００４１】
次に、切欠部３０よりも右側の長板材Ｎを第一部材２１としてその下端に第一パッキン２３を取付けるとともに、切欠部３０よりも左側の長板材Ｎを第二部材２２としてその下端に第二パッキン２４を取付ける。
この第一パッキン２３及び第二パッキン２４は、図３に示すように第一本体部２１ａや第二本体部２２ａの下端から内壁側へ湾曲突出した断面略舌状であり、図３（ａ）のように開いた状態と、図３（ｂ）のように閉じた状態とがあるが、通常は閉じている。
【００４２】
ここで、矩形状切欠部３１の上辺の左端から三角形状切欠部３２の底辺の左端までの長さは、矩形状切欠部３１の高さに段鼻Ｄの厚さを加えた長さ以上、かつ矩形状切欠部３１の高さに段鼻Ｄの厚さと第一パッキン２３の幅を加えた長さ未満である。また、矩形状切欠部３１の高さに第二パッキン２４の厚さを加えた高さは、段鼻Ｄの突出量に等しい。
また、パッキンは踏板Ｆや蹴込板Ｋと階段幅木２００との間に生じる隙間を隠蔽する為に用いられるので、ＮＣルータ等で高精度に加工された場合、ストロークは１ｍｍ程度で十分なこともあるが、そうでない場合は、やや多めにとる事が好ましい。
【００４３】
次に、図２（ｃ）に示すように、三角形状切欠部３２の頂角における点で長板材Ｎを分断せずに、第一部材２１と第二部材２２とが繋がったままの状態で、第二部材２２を第一部材２１に対して回転させる。
【００４４】
その回転が図２（ｄ）に示すように略９０°となったら、第一突出部２１ｂの傾斜部分と第二突出部２２ｂの傾斜部分とを留め継ぎする。
最後に、図２（ｅ）に示すようにその階段幅木２００を階段に取付ける。
【００４５】
以上のように構成された階段幅木２００によれば、第一部材２１は、踏板Ｆに接する第一パッキン２３が下端に取付けられた横長矩形状の第一本体部２１ａを備え、第二部材２２は、蹴込板Ｋに接する第二パッキン２４が後端に取付けられた縦長矩形状の第二本体部２２ａと、を備えるので、階段幅木２００と階段（踏板Ｆ、蹴込板Ｋ）との間に隙間が生じる恐れはほとんど無い。
【００４６】
また、第一部材２１と第二部材２２はともに形状が単純であるので、施工現場での加工も容易で製造コストも低廉である。
また、第一部材２１と第二部材２２は、踏板Ｆや蹴込板Ｋと同質の木材で製造可能であるので、褪色・変色の違いもほとんど無く、階段幅木２００だけが著しく目立つ恐れもない。さらに、第一部材２１と第二部材２２を留め継ぎしたので、木口面の露出もない。よって、デザイン上の問題は無い。
【００４７】
なお、第一実施形態では第一部材２１と他の一対の第二部材２２を、施工の簡単な「どん付け」で接続する場合を示したが、施工現場で図４に示したような第一部材２１の後端及び第二部材２２の下端に留め加工を行う事も可能である。
つまり、この留め加工とは、第一本体部２１ａの後端上端から後ろ側下方に傾斜して三角形状に突出した第三突出部を第一本体部２１ａに形成するとともに、第二本体部２２ａの下端前端から後ろ側下方に傾斜して三角形状に突出した第四突出部を第二本体部２２ａに形成するということである。
この場合、図５に示したように、蹴込板Ｋの前面全面のみならず、踏板Ｆの上面全面にパッキン２３，２４が位置するので、隙間隠蔽効果が一層上がる。
【００４８】
（第二実施形態）
次に図６と図７を参照して、本発明の第二実施形態に係る階段幅木２００及び階段幅木２００の製造方法を説明する。
この階段幅木２００は、第一部材２１と、第二部材２２と、第三部材２５を備える。
【００４９】
第一部材２１は、第一本体部２１ａと第一突出部２１ｂからなる。
第一本体部２１ａは、横長矩形状で、踏板Ｆに接する第一パッキン２３が下端に取付けられている。
また、第一突出部２１ｂは、第一本体部２１ａの前端の下端から前側上方に傾斜して三角形状に突出している。
【００５０】
第二部材２２は、第二本体部２２ａと第二突出部２２ｂからなる。
第二本体部２２ａは、縦長矩形状で、第二パッキン２４が後端に取付けられている。
また、第二突出部２２ｂは、第二本体部２２ａの後端の上端から前側上方に傾斜して三角形状に突出している。
第二パッキン２４は、段鼻Ｄの下端のラインで上下二つに分かれており、上側の段鼻Ｄ前端に当接する部分は図３（ｂ）のように閉状態であり、一方それより下の部分は図３（ａ）のように開状態である。
この第二パッキン２４の開状態部分は、後述する第三部材２５の前部に反内壁側から被せられ、前記第二パッキン２４の先端裏面が第三部材２５に弾接している。
【００５１】
そして、第一突出部２１ｂの傾斜部分と第二突出部２２ｂの傾斜部分とが留め継ぎされて第一部材２１と第二部材２２とのなす角度が略９０°となっている。
【００５２】
第三部材２５は、縦長矩形状で、蹴込板Ｋの前端に接して設けられ、第二部材２２の第二パッキン２４の開状態部分と蹴込板Ｋとの隙間を塞いでいる。
【００５３】
このように構成された階段幅木２００の製造方法は以下の通りである。
まず、図７（ａ）に示すように、左右に延びる一つの長板材Ｎを用意する
次に、図７（ｂ）に示すように、直角二等辺三角形状の三角形状切欠部３２を長板材Ｎに形成する。
詳しくは、長板材Ｎの下端に三角形状切欠部３２の底辺を一致させるとともに三角形状切欠部３２の直角の頂角を上方に向けて、その頂角における点を長板材Ｎの上端に略一致させる。
【００５４】
次に、図７（ｃ）に示すように、三角形状切欠部３２よりも右側の長板材Ｎを第一部材２１としてその下端に第一パッキン２３を取付けるとともに、三角形状切欠部３２よりも左側の長板材Ｎを第二部材２２としてその下端に第二パッキン２４を取付ける。
このとき、第二パッキン２４のうち、三角形状切欠部３２の底辺の左端から段鼻Ｄの厚さ分だけ左の位置ｓに切込みを入れる。
【００５５】
次に、図７（ｄ）に示すように、三角形状切欠部３２の頂角における点で長板材Ｎを分断せずに、第一部材２１と第二部材２２とが繋がったままの状態で、第二部材２２を第一部材２１に対して略９０°回転させる。
【００５６】
次に、第二パッキン２４の切込みより下の部分を引き起こす。このときの第二部材２２は図８のようになっており、引き起こされた部分の断面は、片方が解放された「レ」字状となっている。
そして、図９に示すようにこの第二パッキン２４を第三部材２５に被せるように取り付け、第二パッキン２４の裏面を第三部材２５に弾接させる。
以上の工程において、第一部材２１、第二部材２２、及び第三部材２５への厚さ方向への加工は行っていない。
【００５７】
最後に、図７（ｅ）に示すようにその階段幅木２００を階段に取付ける。
【００５８】
なお、本実施形態とは異なり、第二パッキン２４に切込みを入れない方法もある。この場合、図１０に示すように、第二パッキン２４は引き起こす事無く閉状態で取り付けられ、第二パッキン２４の表面が第三部材２５の前端に弾接する。このとき、図９と図１０との比較でわかるように、第二部材２２と第三部材２５との間の調整範囲がやや狭くなる。
【００５９】
以上のように構成された階段幅木２００によれば、第一部材２１は、踏板Ｆに接する第一パッキン２３が下端に取付けられた横長矩形状の第一本体部２１ａを備え、第二部材２２は、蹴込板Ｋに接する第二パッキン２４が後端に取付けられた縦長矩形状の第二本体部２２ａと、を備えるので、階段幅木２００と階段（踏板Ｆ、蹴込板Ｋ）との間に隙間が生じる恐れはほとんど無い。すなわち、踏板Ｆ、蹴込板Ｋに加えて段鼻Ｄ正面に対しても、階段幅木２００と、これらとの間にパッキンが介在するので、隙間が生じる恐れは殆ど無い。
また、第一実施形態に係る階段幅木２００より部材数が増えるものの、第一部材２１と第二部材２２はともに形状が単純であるので、施工現場での加工も容易で製造コストも低廉である。
また、第一部材２１と第二部材２２は、踏板Ｆや蹴込板Ｋと同質の木材で製造可能であるので、褪色・変色の違いもほとんど無く、階段幅木２００だけが著しく目立つ恐れもない。さらに、第一部材２１と第二部材２２を留め継ぎしたので、木口面の露出もない。よって、デザイン上の問題は無い。
また、段鼻Ｄの前端にも第二パッキン２４が存在するので、段鼻Ｄの突出量の誤差や階段幅木２００の加工誤差をこの第二パッキン２４で吸収することができる。
さらに、第二部材２２及び第三部材２５への厚さ方向の加工は無く、第二パッキン２４を開状態とすることで段鼻Ｄの突出量に対応しているので、構造が単純で強度も高い。
【００６０】
なお、第一実施形態において、図１１（ａ）に示したように矩形状切欠部３１と三角形状切欠部３２の連通部分の左右端部に丸み（Ｒ形状）を設けてもよい。この場合、図１１（ｂ）のように、階段への取付け時にはその丸みを設けた部分同士が接する。
【００６１】
また、図１２に示すように、第一部材２１と第二部材２２との留め継ぎは４５°ずつでなくてもよい。この場合、図１２（ｂ）のように第一部材２１と他の一対の第二部材２２との留め継ぎとの角度が一致しないが、どん付けの場合は問題ない。
【００６２】
また、第一及び第二実施形態においては、図１等の紙面奥側を建物の内壁側として、図１等の左側を階段幅木２００の前方としたが、図１等の右側を階段幅木２００の前方とした場合には、全て線対称に反転させるだけでよく、この反転させたものも本発明の範囲内である。すなわち、この場合には長板材Ｎから第一部材２１と第二部材２２を切り出すときに切欠部３０の左側が第一部材２１、切欠部３０の右側が第二部材２２となる。
【００６３】
また、第一部材２１と第二部材２２は分離していてもよい。
さらには、一つの長板材Ｎから第一部材２１と第二部材２２を切り出すことに限られず、他の方法で第一部材２１と第二部材２２を製造してもよい。
【符号の説明】
【００６４】
１      切欠部
２      切欠部
１１      Ｊ字状部材
１２      Ｉ字状部材
１３      縦部材
１４      横部材
１５      フィラー
１６      パッキン
２１      第一部材
２１ａ    第一本体部
２１ｂ    第一突出部
２２      第二部材
２２ａ    第二本体部
２２ｂ    第二突出部
２３      第一パッキン
２４      第二パッキン
２５      第三部材
３０      切欠部
３１      矩形状切欠部
３２      三角形状切欠部
１００      階段幅木
２００      階段幅木
Ｄ      段鼻
Ｆ      踏板
Ｋ      蹴込板
Ｎ      長板材
【図１】
2015055043.tif 000003
【図２】
2015055043.tif 000004
【図３】
2015055043.tif 000005
【図４】
2015055043.tif 000006
【図５】
2015055043.tif 000007
【図６】
2015055043.tif 000008
【図７】
2015055043.tif 000009
【図８】
2015055043.tif 000010
【図９】
2015055043.tif 000011
【図１０】
2015055043.tif 000012
【図１１】
2015055043.tif 000013
【図１２】
2015055043.tif 000014
【図１３】
2015055043.tif 000015
【図１４】
2015055043.tif 000016
【図１５】
2015055043.tif 000017
【図１６】
2015055043.tif 000018
【図１７】
2015055043.tif 000019
【図１８】
2015055043.tif 000020